(57)【要約】【課題】  伝送信号を高速で伝送することができるとともに、室内機及び室外機の待機状態における消費電力を低減することができる空気調和機及び制御方法を提供する。【解決手段】  空気調和機１は、室内機１０と、室外機２０と、室内機１０と室外機２０との間で伝送信号を送受信するための信号ラインＳとを備えた空気調和機である。室外機２０は、主電力供給部２６を有する。主電力供給部２６は、電力供給を外部から受けて、高圧側第１電源ラインＡＣＬ１及び基準側第１電源ラインＡＣＮ１を介して主電力を供給する。室内機１０又は室外機２０は、伝送電力供給部２４と切換接点ＭＲ３０とを有する。伝送電力供給部２４は、伝送電力を生成して、信号ラインＳを介して伝送電力を供給する。伝送電力は、室内機１０との間で信号ラインＳを介して伝送信号を送受信するための直流電力である。切換接点ＭＲ３０は、待機状態において、主電力供給部２６から伝送電力供給部２４への主電力の供給を遮断する。【選択図】      図１
2005257238.tif 000002
【特許請求の範囲】
【請求項１】
室内機（１０，１０ａ）と、室外機（２０，２０ａ，１２０，２２０）と、前記室内機（１０，１０ａ）と前記室外機（２０，２０ａ，１２０，２２０）との間で伝送信号を送受信するための信号ライン（Ｓ）と、を備えた、空気調和機（１，１ａ，１００，２００）であって、
前記室外機（２０，２０ａ，１２０，２２０）は、
電力供給を外部から受けて、第１電源ライン（ＡＣＬ１，ＡＣＮ１）を介して主電力を供給する主電力供給部（２６）を有し、
前記室内機（１０，１０ａ）又は前記室外機（２０，２０ａ，１２０，２２０）は、
前記室外機（２０，２０ａ，１２０，２２０）との間で又は前記室内機（１０，１０ａ）との間で前記信号ライン（Ｓ）を介して伝送信号を送受信するための直流電力である伝送電力を生成して、前記信号ライン（Ｓ）を介して前記伝送電力を供給する伝送電力供給部（２４，２４ａ）と、
待機状態において、前記主電力供給部（２６）から前記伝送電力供給部（２４，２４ａ）への前記主電力の供給を遮断する第１遮断部（ＭＲ３０，ＭＲ１０，ＭＲ４０）と、
を有する、
空気調和機（１，１ａ，１００，２００）。
【請求項２】
前記第１遮断部（ＭＲ３０，ＭＲ１０，ＭＲ４０）は、待機状態から運転状態に切り替える際に、前記主電力供給部（２６）から前記伝送電力供給部（２４，２４ａ）への前記主電力の供給の遮断を解除する、
請求項１に記載の空気調和機（１，１ａ，１００，２００）。
【請求項３】
前記室外機（２０，２０ａ，１２０，２２０）は、
室外機器を駆動させるための電力である室外駆動電力を生成して、第２電源ライン（ＡＣＬ２，ＡＣＮ２）を介して前記室外駆動電力を供給する室外駆動電力供給部（２３）と、
前記第１電源ライン（ＡＣＬ１，ＡＣＮ１）と前記第２電源ライン（ＡＣＬ２，ＡＣＮ２）とに接続され、前記室外駆動電力供給部（２３）が発生した雑音である第１雑音を低減する第１雑音低減部（ＬＣ１）と、
をさらに有し、
前記伝送電力供給部（２４，２４ａ）は、前記第１電源ライン（ＡＣＬ１，ＡＣＮ１）と前記第１遮断部（ＭＲ３０，ＭＲ１０，ＭＲ４０）とを介して前記主電力の供給を受ける、
請求項１又は２に記載の空気調和機（１，１ａ，１００，２００）。
【請求項４】
前記室外機（２０，２０ａ，１２０，２２０）は、
前記第２電源ライン（ＡＣＬ２，ＡＣＮ２）上に設けられ、待機状態において、前記主電力供給部（２６）から前記室外駆動電力供給部（２３）への前記主電力の供給を遮断する第２遮断部（ＭＲＭ１０，ＭＲＭ２０，ＭＲＭ１１）をさらに有する、
請求項３に記載の空気調和機（１，１ａ，１００，２００）。
【請求項５】
前記室外機（２０，２０ａ，１２０，２２０）は、
室外機器を制御する室外制御部（２１）と、
前記室外制御部（２１）を起動させるための電力である起動電力を生成して、前記起動電力を前記室外制御部（２１）へ供給する起動電力供給部（２２）と、
をさらに有し、
前記室外制御部（２１）は、起動されたことに基づいて、前記第２遮断部（ＭＲＭ１０，ＭＲＭ２０，ＭＲＭ１１）による遮断を解除する、
請求項４に記載の空気調和機（１，１ａ，１００，２００）。
【請求項６】
前記第１遮断部（ＭＲ３０）は、前記第１電源ライン（ＡＣＬ１，ＡＣＮ１）と第３電源ライン（ＡＣＬ３，ＡＣＮ３）との間に設けられ、待機状態において、前記主電力供給部（２６）から前記起動電力供給部（２２）への前記主電力の供給をさらに遮断する、
請求項５に記載の空気調和機（１，１ａ，１００，２００）。
【請求項７】
前記起動電力供給部（２２）は、待機状態から運転状態に切り替わる際に、前記第１電源ライン（ＡＣＬ１，ＡＣＮ１）と前記第２電源ライン（ＡＣＬ２，ＡＣＮ２）と前記第１遮断部（ＭＲ３０）と前記第３電源ライン（ＡＣＬ３，ＡＣＮ３）とを介して前記主電力の供給を受ける、
請求項６に記載の空気調和機（１，１ａ，１００）。
【請求項８】
前記伝送電力供給部（２４）は、待機状態から運転状態に切り替わる際に、前記第１電源ライン（ＡＣＬ１，ＡＣＮ１）と前記第２電源ライン（ＡＣＬ２，ＡＣＮ２）と前記第１遮断部（ＭＲ３０）と前記第３電源ライン（ＡＣＬ３，ＡＣＮ３）とを介して前記主電力の供給を受ける、
請求項７に記載の空気調和機（１，１ａ）。
【請求項９】
前記室外機（２２０）は、
前記第３電源ライン（ＡＣＬ３，ＡＣＮ３）上で前記起動電力供給部（２２）と前記伝送電力供給部（２４）との間に設けられ、前記起動電力供給部（２２）が発生した雑音である第２雑音を低減する第２雑音低減部（ＬＣ２）をさらに有する、
請求項６に記載の空気調和機（２００）。
【請求項１０】
前記室内機（１０，１０ａ）は、
少なくとも待機状態において、外部から指令を受け付けるための電力である指令電力を生成して供給する指令電力供給部（１１）をさらに有し、
前記指令電力供給部（１１）は、少なくとも待機状態において、前記主電力供給部（２６）から前記第１電源ラインを介して前記主電力の供給を受ける、
請求項１から９のいずれか１項に記載の空気調和機（１，１ａ，１００，２００）。
【請求項１１】
室内機（１０，１０ａ）と、室外機（２０，２０ａ，１２０，２２０）と、前記室内機（１０，１０ａ）と前記室外機（２０，２０ａ，１２０，２２０）との間で伝送信号を送受信するための信号ライン（Ｓ）と、を備えた、空気調和機（１，１ａ，１００，２００）が制御される制御方法であって、
電力供給が外部から前記室外機（２０，２０ａ，１２０，２２０）で受けられて、第１電源ライン（ＡＣＬ１，ＡＣＮ１）を介して主電力が供給される主電力供給ステップと、
前記室外機（２０，２０ａ，１２０，２２０）と前記室内機（１０，１０ａ）との間で前記信号ライン（Ｓ）を介して伝送信号が送受信されるための直流電力である伝送電力が生成されて、前記信号ライン（Ｓ）を介して前記伝送電力が供給される伝送電力供給ステップと、
待機状態において、前記伝送電力が生成されるための前記主電力の供給が、遮断される遮断ステップと、
を備えた、
制御方法。
【発明の詳細な説明】
【技術分野】
【０００１】
本発明は、空気調和機及び制御方法に関する。
【背景技術】
【０００２】
従来から、電力供給を外部から室外機で受けて、第１電源ラインを介した各部への主電力の供給を待機状態において制限することにより、室内機及び室外機の待機状態における消費電力を低減することが可能な空気調和機が提案されている（例えば、特許文献１参照）。この空気調和機は、主として、室内機と、室外機と、室内機と室外機との間で伝送信号を送受信するための信号ラインとを備えている。
【特許文献１】特開２０００−１１１１２３（第１−８頁、第１−６図）
【発明の開示】
【発明が解決しようとする課題】
【０００３】
しかし、従来の技術では、信号ラインを介した伝送信号の伝送が、交流電力により行われていたため、その通信速度が周波数に依存し、高速化が困難な傾向にある。
一方、信号ラインを介した伝送信号の伝送を高速化するために新たに電源を設けた場合、その電源を設けたために室内機及び室外機の待機状態における消費電力が増加するおそれがある。
【０００４】
そこで、本発明の課題は、伝送信号を高速で伝送することができるとともに、室内機及び室外機の待機状態における消費電力を低減することができる空気調和機及び制御方法を提供することにある。
【課題を解決するための手段】
【０００５】
請求項１に係る空気調和機は、室内機と、室外機と、室内機と室外機との間で伝送信号を送受信するための信号ラインとを備えた空気調和機である。室外機は、主電力供給部を有する。主電力供給部は、電力供給を外部から受けて、第１電源ラインを介して主電力を供給する。室内機又は室外機は、伝送電力供給部と第１遮断部とを有する。伝送電力供給部は、伝送電力を生成して、信号ラインを介して伝送電力を供給する。伝送電力は、室外機との間で又は室内機との間で信号ラインを介して伝送信号を送受信するための直流電力である。第１遮断部は、待機状態において、主電力供給部から伝送電力供給部への主電力の供給を遮断する。
【０００６】
この空気調和機では、室外機の主電力供給部が、電力供給を外部から受けて、第１電源ラインを介して主電力を供給する。室内機又は室外機の伝送電力供給部が、主電力供給部から第１電源ラインを介して主電力の供給を受けることができる。室内機又は室外機の伝送電力供給部が、伝送電力を生成して、信号ラインを介して伝送電力を供給する。室内機又は室外機の第１遮断部が、待機状態において、主電力供給部から伝送電力供給部への主電力の供給を遮断する。
【０００７】
したがって、信号ラインを介して伝送電力を供給するので、交流電力でなく直流電力を用いて伝送信号を生成することができる。このため、伝送信号を高速で伝送することができる。また、室内機及び室外機の待機状態において主電力供給部から伝送電力供給部への主電力の供給を遮断するので、室内機及び室外機の待機状態における消費電力を低減することができる。このため、伝送信号を高速で伝送することができるとともに、室内機及び室外機の待機状態における消費電力を低減することができる。
【０００８】
請求項２に係る空気調和機は、請求項１に記載の空気調和機であって、第１遮断部は、待機状態から運転状態に切り替える際に、主電力供給部から伝送電力供給部への主電力の供給の遮断を解除する。
この空気調和機では、室外機の主電力供給部が、電力供給を外部から受けて、第１電源ラインを介して主電力を供給する。室内機又は室外機の伝送電力供給部が、主電力供給部から第１電源ラインを介して主電力の供給を受けることができる。室内機又は室外機の伝送電力供給部が、伝送電力を生成して、信号ラインを介して伝送電力を供給する。室内機又は室外機の第１遮断部が、待機状態において、主電力供給部から伝送電力供給部への主電力の供給を遮断する。第１遮断部が、待機状態から運転状態に切り替える際に、主電力供給部から伝送電力供給部への主電力の供給の遮断を解除する。
【０００９】
したがって、信号ラインを介して伝送電力を供給するので、交流電力でなく直流電力を用いて伝送信号を生成することができる。このため、伝送信号を高速で伝送することができる。また、室内機及び室外機の待機状態において主電力供給部から伝送電力供給部への主電力の供給を遮断するので、室内機及び室外機の待機状態における消費電力を低減することができる。このため、伝送信号を高速で伝送することができるとともに、室内機及び室外機の待機状態における消費電力を低減することができる。
【００１０】
請求項３に係る空気調和機は、請求項１又は２に記載の空気調和機であって、室外機は、室外駆動電力供給部と、第１雑音低減部とをさらに有する。室外駆動電力供給部は、室外駆動電力を生成して、第２電源ラインを介して室外駆動電力を供給する。室外駆動電力は、室外機器を駆動させるための電力である。第１雑音低減部は、第１電源ラインと第２電源ラインとに接続され、第１雑音を低減する。第１雑音は、室外駆動電力供給部が発生した雑音である。伝送電力供給部は、第１電源ラインと第１遮断部とを介して主電力の供給を受ける。
【００１１】
この空気調和機では、室外機の主電力供給部が、電力供給を外部から受けて、第１電源ラインを介して主電力を供給する。室内機又は室外機の伝送電力供給部が、主電力供給部から第１電源ラインを介して主電力の供給を受けることができる。室外機の室外駆動電力供給部が、主電力供給部から第１電源ラインを介して主電力の供給を受けることができる。室外機の室外駆動電力供給部が、室外駆動電力を生成して、第２電源ラインを介して室外駆動電力を供給する。室外機の第１雑音低減部が、第１電源ラインと第２電源ラインとに接続され、第１雑音を低減する。これにより、第２電源ラインから第１電源ラインへ第１雑音を伝達することを低減することができる。室内機又は室外機の伝送電力供給部が、第１電源ラインと第１遮断部とを介して主電力の供給を受ける。室内機又は室外機の伝送電力供給部が、伝送電力を生成して、信号ラインを介して伝送電力を供給する。室内機又は室外機の第１遮断部が、待機状態において、主電力供給部から伝送電力供給部への主電力の供給を遮断する。
【００１２】
したがって、第１雑音ののっている第２電源ラインをバイパスして伝送電力供給部が主電力の供給を受けることができるので、伝送信号に第１雑音が混入するおそれを低減することができる。
なお、第２電源ラインをバイパスすることは、例えば、第２電源ラインの基準側のラインのみをバイパスすることでもよいし、第２電源ラインの基準側のラインと高圧側のラインとをバイパスすることでもよい。
【００１３】
請求項４に係る空気調和機は、請求項３に記載の空気調和機であって、室外機は、第２遮断部をさらに有する。第２遮断部は、第２電源ライン上に設けられ、待機状態において、主電力供給部から室外駆動電力供給部への主電力の供給を遮断する。
この空気調和機では、室外機の主電力供給部が、電力供給を外部から受けて、第１電源ラインを介して主電力を供給する。室外機の室外駆動電力供給部が、主電力供給部から第１電源ラインを介して主電力の供給を受けることができる。室外機の室外駆動電力供給部が、室外駆動電力を生成して、第２電源ラインを介して室外駆動電力を供給する。室外機の第１雑音低減部が、第１電源ラインと第２電源ラインとに接続され、第１雑音を低減する。これにより、第２電源ラインから第１電源ラインへ第１雑音を伝達することを低減することができる。室内機又は室外機の伝送電力供給部が、第１電源ラインと第１遮断部とを介して主電力の供給を受ける。室内機又は室外機の伝送電力供給部が、伝送電力を生成して、信号ラインを介して伝送電力を供給する。室内機又は室外機の第１遮断部が、待機状態において、主電力供給部から伝送電力供給部への主電力の供給を遮断する。室外機の第２遮断部が、第２電源ライン上に設けられ、待機状態において、主電力供給部から室外駆動電力供給部への主電力の供給を遮断する。
【００１４】
したがって、室内機及び室外機の待機状態において主電力供給部から室外駆動電力供給部への主電力の供給を遮断するので、室内機及び室外機の待機状態における消費電力を低減することができる。
請求項５に係る空気調和機は、請求項４に記載の空気調和機であって、室外機は、室外制御部と起動電力供給部とをさらに有する。室外制御部は、室外機器を制御する。起動電力供給部は、起動電力を生成して、起動電力を室外制御部へ供給する。起動電力は、室外制御部を起動させるための電力である。室外制御部は、起動されたことに基づいて、第２遮断部による遮断を解除する。
【００１５】
この空気調和機では、室外機の主電力供給部が、電力供給を外部から受けて、第１電源ラインを介して主電力を供給する。室外機の室外駆動電力供給部が、主電力供給部から第１電源ラインを介して主電力の供給を受けることができる。室外機の室外駆動電力供給部が、室外駆動電力を生成して、第２電源ラインを介して室外駆動電力を供給する。室外機の第１雑音低減部が、第１電源ラインと第２電源ラインとに接続され、第１雑音を低減する。これにより、第２電源ラインから第１電源ラインへ第１雑音を伝達することを低減することができる。室内機又は室外機の伝送電力供給部が、第１電源ラインと第１遮断部とを介して主電力の供給を受ける。室内機又は室外機の伝送電力供給部が、伝送電力を生成して、信号ラインを介して伝送電力を供給する。室外制御部が、室外機器を制御する。室外機の起動電力供給部が、主電力供給部から第１電源ラインを介して主電力の供給を受けることができる。室外機の起動電力供給部が、起動電力を生成して、起動電力を室外制御部へ供給する。室内機又は室外機の第１遮断部が、待機状態において、主電力供給部から伝送電力供給部への主電力の供給を遮断する。室外機の第２遮断部が、第２電源ライン上に設けられ、待機状態において、主電力供給部から室外駆動電力供給部への主電力の供給を遮断する。室外機の室外制御部が、起動されたことに基づいて、第２遮断部による遮断を解除する。
【００１６】
したがって、室内機及び室外機の待機状態から運転状態に切り替わった際において、起動電力供給部に主電力が供給されれば室外制御部を起動することができるので、主電力供給部から室外駆動電力供給部への主電力の供給の遮断を解除することができる。
請求項６に係る空気調和機は、請求項５に記載の空気調和機であって、第１遮断部は、第１電源ラインと第３電源ラインとの間に設けられ、待機状態において、主電力供給部から起動電力供給部への主電力の供給をさらに遮断する。
【００１７】
この空気調和機では、室外機の主電力供給部が、電力供給を外部から受けて、第１電源ラインを介して主電力を供給する。室外機の室外駆動電力供給部が、主電力供給部から第１電源ラインを介して主電力の供給を受けることができる。室外機の室外駆動電力供給部が、室外駆動電力を生成して、第２電源ラインを介して室外駆動電力を供給する。室外機の第１雑音低減部が、第１電源ラインと第２電源ラインとに接続され、第１雑音を低減する。これにより、第２電源ラインから第１電源ラインへ第１雑音を伝達することを低減することができる。室内機又は室外機の伝送電力供給部が、第１電源ラインと第１遮断部とを介して主電力の供給を受ける。室内機又は室外機の伝送電力供給部が、伝送電力を生成して、第３電源ラインを介して伝送電力を供給する。室外機の室外制御部が、室外機器を制御する。室外機の起動電力供給部が、主電力供給部から第１電源ラインを介して主電力の供給を受けることができる。室外機の起動電力供給部が、起動電力を生成して、起動電力を室外制御部へ供給する。室内機又は室外機の第１遮断部が、待機状態において、主電力供給部から伝送電力供給部への主電力の供給を遮断する。室内機又は室外機の第１遮断部が、第１電源ラインと第３電源ラインとの間に設けられ、待機状態において、主電力供給部から起動電力供給部への主電力の供給をさらに遮断する。室外機の第２遮断部が、第２電源ライン上に設けられ、待機状態において、主電力供給部から室外駆動電力供給部への主電力の供給を遮断する。室外機の室外制御部が、起動されたことに基づいて、第２遮断部による遮断を解除する。
【００１８】
したがって、室内機及び室外機の待機状態において主電力供給部から起動電力供給部への主電力の供給をさらに遮断するので、室内機及び室外機の待機状態における消費電力を低減することができる。
請求項７に係る空気調和機は、請求項６に記載の空気調和機であって、起動電力供給部は、待機状態から運転状態に切り替わる際に、第１電源ラインと第２電源ラインと第１遮断部と第３電源ラインとを介して主電力の供給を受ける。
【００１９】
この空気調和機では、室外機の主電力供給部が、電力供給を外部から受けて、第１電源ラインを介して主電力を供給する。室外機の室外駆動電力供給部が、主電力供給部から第１電源ラインを介して主電力の供給を受けることができる。室外機の室外駆動電力供給部が、室外駆動電力を生成して、第２電源ラインを介して室外駆動電力を供給する。室外機の第１雑音低減部が、第１電源ラインと第２電源ラインとに接続され、第１雑音を低減する。これにより、第２電源ラインから第１電源ラインへ第１雑音を伝達することを低減することができる。室内機又は室外機の伝送電力供給部が、第１電源ラインと第１遮断部とを介して主電力の供給を受ける。室内機又は室外機の伝送電力供給部が、伝送電力を生成して、信号ラインを介して伝送電力を供給する。室外制御部が、室外機器を制御する。室外機の起動電力供給部が、主電力供給部から第１電源ラインを介して主電力の供給を受けることができる。室外機の起動電力供給部が、起動電力を生成して、起動電力を室外制御部へ供給する。室内機又は室外機の第１遮断部が、待機状態において、主電力供給部から伝送電力供給部への主電力の供給を遮断する。室外機の第２遮断部が、第２電源ライン上に設けられ、待機状態において、主電力供給部から室外駆動電力供給部への主電力の供給を遮断する。室外機の起動電力供給部が、待機状態から運転状態に切り替わる際に、第１電源ラインと第２電源ラインと第１遮断部と第３電源ラインとを介して主電力の供給を受ける。これにより、室外機の起動電力供給部が、待機状態から運転状態に切り替わる際に、起動電力を室外制御部へ供給することができる。室外機の室外制御部が、起動されたことに基づいて、第２遮断部による遮断を解除する。
【００２０】
したがって、室内機と室外機の待機状態から運転状態に切り替わる際に、第１遮断部による遮断が解除されて起動電力供給部へ主電力が供給されるので、室外制御部を起動することができる。このため、第２遮断部による遮断が解除されるので、主電力供給部から室外駆動電力供給部への主電力の供給の遮断を解除することができる。
請求項８に係る空気調和機は、請求項７に記載の空気調和機であって、伝送電力供給部は、待機状態から運転状態に切り替わる際に、第１電源ラインと第２電源ラインと第１遮断部と第３電源ラインとを介して主電力の供給を受ける。
【００２１】
この空気調和機では、室外機の主電力供給部が、電力供給を外部から受けて、第１電源ラインを介して主電力を供給する。室外機の室外駆動電力供給部が、主電力供給部から第１電源ラインを介して主電力の供給を受けることができる。室外機の室外駆動電力供給部が、室外駆動電力を生成して、第２電源ラインを介して室外駆動電力を供給する。室外機の第１雑音低減部が、第１電源ラインと第２電源ラインとに接続され、第１雑音を低減する。これにより、第２電源ラインから第１電源ラインへ第１雑音を伝達することを低減することができる。室外機の伝送電力供給部が、第１電源ラインと第１遮断部とを介して主電力の供給を受ける。室外機の伝送電力供給部が、伝送電力を生成して、信号ラインを介して伝送電力を供給する。室外制御部が、室外機器を制御する。室外機の起動電力供給部が、主電力供給部から第１電源ラインを介して主電力の供給を受けることができる。室外機の起動電力供給部が、起動電力を生成して、起動電力を室外制御部へ供給する。室内機又は室外機の第１遮断部が、待機状態において、主電力供給部から伝送電力供給部への主電力の供給を遮断する。室外機の第２遮断部が、第２電源ライン上に設けられ、待機状態において、主電力供給部から室外駆動電力供給部への主電力の供給を遮断する。室外機の伝送電力供給部が、待機状態から運転状態に切り替わる際に、第１電源ラインと第２電源ラインと第１遮断部と第３電源ラインとを介して主電力の供給を受ける。室外機の起動電力供給部が、待機状態から運転状態に切り替わる際に、第１電源ラインと第２電源ラインと第１遮断部と第３電源ラインとを介して主電力の供給を受ける。これにより、室外機の起動電力供給部が、待機状態から運転状態に切り替わる際に、起動電力を室外制御部へ供給することができる。室外機の室外制御部が、起動されたことに基づいて、第２遮断部による遮断を解除する。
【００２２】
したがって、待機状態から運転状態に切り替わる際における起動電力供給部と伝送電力供給部とへの主電力の供給経路を一部共通化することができるので、低コストで回路を構成することができる。
請求項９に係る空気調和機は、請求項５又は６に記載の空気調和機であって、室外機は、第２雑音低減部をさらに有する。第２雑音低減部は、第３電源ライン上で起動電力供給部と伝送電力供給部との間に設けられ、第２雑音を低減する。第２雑音は、起動電力供給部が発生した雑音である。
【００２３】
この空気調和機では、室外機の主電力供給部が、電力供給を外部から受けて、第１電源ラインを介して主電力を供給する。室外機の室外駆動電力供給部が、主電力供給部から第１電源ラインを介して主電力の供給を受けることができる。室外機の室外駆動電力供給部が、室外駆動電力を生成して、第２電源ラインを介して室外駆動電力を供給する。室外機の第１雑音低減部が、第１電源ラインと第２電源ラインとに接続され、第１雑音を低減する。これにより、第２電源ラインから第１電源ラインへ第１雑音を伝達することを低減することができる。室内機又は室外機の伝送電力供給部が、第１電源ラインと第１遮断部とを介して主電力の供給を受ける。室内機又は室外機の伝送電力供給部が、伝送電力を生成して、信号ラインを介して伝送電力を供給する。室外制御部が、室外機器を制御する。室外機の起動電力供給部が、主電力供給部から第１電源ラインを介して主電力の供給を受けることができる。起動電力供給部が、起動電力を生成して、起動電力を室外制御部へ供給する。第２雑音低減部が、第３電源ライン上で起動電力供給部と伝送電力供給部との間に設けられ、第２雑音を低減する。これにより、第３電源ラインを介して起動電力供給部から伝送電力供給部へ第２雑音を伝達することを低減することができる。室内機又は室外機の第１遮断部が、待機状態において、主電力供給部から伝送電力供給部への主電力の供給を遮断する。室外機の第２遮断部が、第２電源ライン上に設けられ、待機状態において、主電力供給部から室外駆動電力供給部への主電力の供給を遮断する。室外機の室外制御部が、起動されたことに基づいて、第２遮断部による遮断を解除する。
【００２４】
したがって、第３電源ラインを介して起動電力供給部から伝送電力供給部へ第２雑音が伝達されることを低減することができるので、伝送信号に第２雑音が混入するおそれを低減することができる。
請求項１０に係る空気調和機は、請求項１から９のいずれか１項に記載の空気調和機であって、室内機は、指令電力供給部をさらに有する。指令電力供給部は、少なくとも待機状態において、指令電力を生成して供給する。指令電力は、外部から指令を受け付けるための電力である。指令電力供給部は、少なくとも待機状態において、主電力供給部から第１電源ラインを介して主電力の供給を受ける。
【００２５】
この空気調和機では、室外機の主電力供給部が、電力供給を外部から受けて、第１電源ラインを介して主電力を供給する。室内機又は室外機の伝送電力供給部が、主電力供給部から第１電源ラインを介して主電力の供給を受けることができる。室内機又は室外機の伝送電力供給部が、伝送電力を生成して、信号ラインを介して伝送電力を供給する。室内機又は室外機の第１遮断部が、待機状態において、主電力供給部から伝送電力供給部への主電力の供給を遮断する。指令電力供給部が、少なくとも待機状態において、主電力供給部から第１電源ラインを介して主電力の供給を受ける。指令電力供給部が、少なくとも待機状態において、指令電力を生成して供給する。
【００２６】
したがって、室内機及び室外機の待機状態において主電力供給部から指令電力供給部へ主電力が供給されて指令電力供給部が指令電力を生成して供給するので、室内機及び室外機の待機状態において外部から指令を受け付けることができる。
なお、室内機及び室外機の運転状態において、指令電力は、指令電力供給部から供給されてもよいし、別の電力供給部から供給されてもよい。
【００２７】
請求項１１に係る制御方法は、空気調和機が制御される制御方法であって、主電力供給ステップと伝送電力供給ステップと遮断ステップとを備える。空気調和機は、室内機と、室外機と、室内機と室外機との間で伝送信号を送受信するための信号ラインとを備える。主電力供給ステップでは、電力供給が外部から室外機で受けられて、第１電源ラインを介して主電力が供給される。伝送電力供給ステップでは、伝送電力が生成されて、信号ラインを介して伝送電力が供給される。伝送電力は、室外機と室内機との間で信号ラインを介して伝送信号が送受信されるための直流電力である。遮断ステップでは、待機状態において、伝送電力が生成されるための主電力の供給が遮断される。
【００２８】
この制御方法では、主電力供給ステップにおいて、電力供給が外部から室外機で受けられて、第１電源ラインを介して主電力が供給される。伝送電力供給ステップにおいて、伝送電力が生成されるための主電力の供給が第１電源ラインを介して受けられ得る。伝送電力供給ステップにおいて、伝送電力が生成されて、信号ラインを介して伝送電力が供給される。遮断ステップにおいて、待機状態において、伝送電力が生成されるための主電力の供給が遮断される。
【００２９】
したがって、信号ラインを介して伝送電力を供給するので、交流電力でなく直流電力を用いて伝送信号を生成することができる。このため、伝送信号を高速で伝送することができる。また、室内機及び室外機の待機状態において伝送電力が生成されるための主電力の供給が遮断されるので、室内機及び室外機の待機状態における消費電力を低減することができる。このため、伝送信号を高速で伝送することができるとともに、室内機及び室外機の待機状態における消費電力を低減することができる。
【００３０】
なお、伝送電力供給ステップと遮断ステップとは、室内機で行われていてもよいし、室外機で行われていてもよい。
【発明の効果】
【００３１】
請求項１に係る空気調和機では、信号ラインを介して伝送電力を供給するので、交流電力でなく直流電力を用いて伝送信号を生成することができる。このため、伝送信号を高速で伝送することができる。また、室内機及び室外機の待機状態において主電力供給部から伝送電力供給部への主電力の供給を遮断するので、室内機及び室外機の待機状態における消費電力を低減することができる。このため、伝送信号を高速で伝送することができるとともに、室内機及び室外機の待機状態における消費電力を低減することができる。
【００３２】
請求項２に係る空気調和機では、信号ラインを介して伝送電力を供給するので、交流電力でなく直流電力を用いて伝送信号を生成することができる。このため、伝送信号を高速で伝送することができる。また、室内機及び室外機の待機状態において主電力供給部から伝送電力供給部への主電力の供給を遮断するので、室内機及び室外機の待機状態における消費電力を低減することができる。このため、伝送信号を高速で伝送することができるとともに、室内機及び室外機の待機状態における消費電力を低減することができる。
【００３３】
請求項３に係る空気調和機では、第１雑音ののっている第２電源ラインをバイパスして伝送電力供給部が主電力の供給を受けることができるので、伝送信号に第１雑音が混入するおそれを低減することができる。
請求項４に係る空気調和機では、室内機及び室外機の待機状態において主電力供給部から室外駆動電力供給部への主電力の供給を遮断するので、室内機及び室外機の待機状態における消費電力を低減することができる。
【００３４】
請求項５に係る空気調和機では、室内機及び室外機の待機状態から運転状態に切り替わった際において、起動電力供給部に主電力が供給されれば室外制御部を起動することができるので、主電力供給部から室外駆動電力供給部への主電力の供給の遮断を解除することができる。
請求項６に係る空気調和機では、室内機及び室外機の待機状態において主電力供給部から起動電力供給部への主電力の供給をさらに遮断するので、室内機及び室外機の待機状態における消費電力を低減することができる。
【００３５】
請求項７に係る空気調和機では、室内機と室外機の待機状態から運転状態に切り替わる際に、第１遮断部による遮断が解除されて起動電力供給部へ主電力が供給されるので、室外制御部を起動することができる。このため、第２遮断部による遮断が解除されるので、主電力供給部から室外駆動電力供給部への主電力の供給の遮断を解除することができる。
請求項８に係る空気調和機では、待機状態から運転状態に切り替わる際における起動電力供給部と伝送電力供給部とへの主電力の供給経路を一部共通化することができるので、低コストで回路を構成することができる。
【００３６】
請求項９に係る空気調和機では、第３電源ラインを介して起動電力供給部から伝送電力供給部へ第２雑音が伝達されることを低減することができるので、伝送信号に第２雑音が混入するおそれを低減することができる。
請求項１０に係る空気調和機では、室内機及び室外機の待機状態において主電力供給部から指令電力供給部へ主電力が供給されて指令電力供給部が指令電力を生成して供給するので、室内機及び室外機の待機状態において外部から指令を受け付けることができる。
【００３７】
請求項１１に係る制御方法では、信号ラインを介して伝送電力を供給するので、交流電力でなく直流電力を用いて伝送信号を生成することができる。このため、伝送信号を高速で伝送することができる。また、室内機及び室外機の待機状態において伝送電力が生成されるための主電力の供給が遮断されるので、室内機及び室外機の待機状態における消費電力を低減することができる。このため、伝送信号を高速で伝送することができるとともに、室内機及び室外機の待機状態における消費電力を低減することができる。
【発明を実施するための最良の形態】
【００３８】
［第１実施形態］
本発明の第１実施形態にかかる空気調和機１の構成図を図１に示す。また、空気調和機１の構成要素の回路図を図２〜図４に示す。
＜空気調和機１の全体構成＞
この空気調和機１は、図１に示すように、主として室内機１０，室外機２０，信号ラインＳ，高圧側第１電源ラインＡＣＬ１及び基準側第１電源ラインＡＣＮ１を備える。信号ラインＳは、室内機１０と室外機２０との間で伝送信号を送受信するために設けられている。高圧側第１電源ラインＡＣＬ１及び基準側第１電源ラインＡＣＮ１は、室内機１０と室外機２０とに接続されており、室外機２０で外部から受けた電力を室内機１０及び室外機２０に供給するために設けられている。
【００３９】
＜室外機２０の構成＞
室外機２０は、図１に示すように、主として主電力供給部２６，主電力供給ラインＬＡＣ，信号ラインＳ，高圧側第１電源ラインＡＣＬ１，高圧側第２電源ラインＡＣＬ２，高圧側第３電源ラインＡＣＬ３，基準側第１電源ラインＡＣＮ１，基準側第２電源ラインＡＣＮ２，基準側第３電源ラインＡＣＮ３，伝送電力供給部２４，起動電力供給部２２，室外駆動電力供給部２３，室外マイコン２１，メーク接点ＭＲＭ１０，メーク接点ＭＲＭ２０，メーク接点ＭＲＭ１１，切換接点ＭＲ３０，室外マイコン２１，ＥＭＩフィルタＬＣ１及び室外送受信部２５を備える。
【００４０】
図１に示す主電力供給部２６が、電力供給を外部から受けて、主電力供給ラインＬＡＣと高圧側第１電源ラインＡＣＬ１及び基準側第１電源ラインＡＣＮ１とを介して主電力を供給する。室外駆動電力供給部２３が、主電力供給ラインＬＡＣと高圧側第１電源ラインＡＣＬ１及び基準側第１電源ラインＡＣＮ１とＥＭＩフィルタＬＣ１と高圧側第２電源ラインＡＣＬ２及び基準側第２電源ラインＡＣＮ２とを介して主電力の供給を受ける。室外駆動電力供給部２３が、室外駆動電力を生成して、高圧側第２電源ラインＡＣＬ２及び基準側第２電源ラインＡＣＮ２を介して室外駆動電力を供給する。ここで、室外駆動電力は、室外機器（例えば、モータ、圧縮機、アクチュエータなど）を駆動させるための電力である。ＥＭＩフィルタＬＣ１が、高圧側第１電源ラインＡＣＬ１及び基準側第１電源ラインＡＣＮ１と高圧側第２電源ラインＡＣＬ２及び基準側第２電源ラインＡＣＮ２とに接続され、第１雑音を低減する。ここで、第１雑音は、室外駆動電力供給部２３が発生した雑音である。これにより、高圧側第２電源ラインＡＣＬ２及び基準側第２電源ラインＡＣＮ２から高圧側第１電源ラインＡＣＬ１及び基準側第１電源ラインＡＣＮ１へ第１雑音を伝達することが低減される。伝送電力供給部２４が、主電力供給ラインＬＡＣと高圧側第１電源ラインＡＣＬ１及び基準側第１電源ラインＡＣＮ１とＥＭＩフィルタＬＣ１と高圧側第２電源ラインＡＣＬ２と切換接点ＭＲ３０と高圧側第３電源ラインＡＣＬ３とを介して主電力の供給を受ける。伝送電力供給部２４が、伝送電力を生成して、信号ラインＳを介して伝送電力を供給する。ここで、伝送電力は、室内機１０との間で信号ラインＳを介して伝送信号を送受信するための直流電力である。室外マイコン２１が、室外機器を制御する。起動電力供給部２２が、主電力供給ラインＬＡＣと高圧側第１電源ラインＡＣＬ１及び基準側第１電源ラインＡＣＮ１とＥＭＩフィルタＬＣ１と高圧側第２電源ラインＡＣＬ２及び基準側第２電源ラインＡＣＮ２と高圧側第３電源ラインＡＣＬ３及び基準側第３電源ラインＡＣＮ３とを介して主電力の供給を受ける。起動電力供給部２２が、起動電力を生成して、起動電力を室外マイコン２１へ供給する。ここで、起動電力は、室外マイコン２１を起動させるための電力である。
【００４１】
図１に示す切換接点ＭＲ３０が、待機状態において、主電力供給部２６から伝送電力供給部２２への主電力の供給を遮断する。切換接点ＭＲ３０が、高圧側第１電源ラインＡＣＬ１及び高圧側第２電源ラインＡＣＬ２と高圧側第３電源ラインＡＣＬ３との間に設けられ、待機状態において、主電力供給部２６から起動電力供給部２２への主電力の供給をさらに遮断する。メーク接点ＭＲＭ１０及びメーク接点ＭＲＭ２０が高圧側第２電源ラインＡＣＬ２上に設けられ、メーク接点ＭＲＭ１１が基準側第２電源ラインＡＣＮ２上に設けられている。メーク接点ＭＲＭ１０，メーク接点ＭＲＭ２０及びメーク接点ＭＲＭ１１が、待機状態において、主電力供給部２６から室外駆動電力供給部２３への主電力の供給を遮断する。
【００４２】
図１に示す切換接点ＭＲ３０が、待機状態から運転状態に切り替える際に、主電力供給部２６から伝送電力供給部２４への主電力の供給の遮断を解除する。それと同時に、切換接点ＭＲ３０が、主電力供給部２６から起動電力供給部２２への主電力の供給の遮断も解除する。伝送電力供給部２４が、待機状態から運転状態に切り替わる際に、主電力供給ラインＬＡＣと高圧側第１電源ラインＡＣＬ１及び基準側第１電源ラインＡＣＮ１とＥＭＩフィルタＬＣ１と高圧側第２電源ラインＡＣＬ２と切換接点ＭＲ３０と高圧側第３電源ラインＡＣＬ３とを介して主電力の供給を受ける。起動電力供給部２２が、待機状態から運転状態に切り替わる際に、高圧側第１電源ラインＡＣＬ１と高圧側第２電源ラインＡＣＬ２と切換接点ＭＲ３０と高圧側第３電源ラインＡＣＬ３とを介して主電力の供給を受ける。これにより、起動電力供給部２２が、待機状態から運転状態に切り替わる際に、起動電力を室外マイコン２１へ供給して室外マイコン２１を起動する。室外マイコン２１が、起動されたことに基づいて、メーク接点ＭＲＭ１０，メーク接点ＭＲＭ２０及びメーク接点ＭＲＭ１１による遮断を解除する。
【００４３】
図１に示す室外送受信部２５は、運転状態において、信号ラインＳを介して室内機１０から送信された信号を受信する。あるいは、室外送受信部２５は、運転状態において、信号ラインＳを介して室内機１０へ信号を送信する。
＜室内機１０の構成＞
室内機１０は、図１に示すように、主として指令電力供給部１１，信号ラインＳ，高圧側第１電源ラインＡＣＬ１，基準側第１電源ラインＡＣＮ１及び室内送受信部１５とを備える。
【００４４】
図１に示す指令電力供給部１１が、待機状態において、主電力供給部２６から主電力供給ラインＬＡＣと高圧側第１電源ラインＡＣＬ１及び基準側第１電源ラインＡＣＮ１とを介して主電力の供給を受ける。指令電力供給部１１が、待機状態において、指令電力を生成して供給する。ここで、指令電力は、リモコンの指令など外部からの指令を受け付けるための電力である。
【００４５】
図１に示す室内送受信部１５は、運転状態において、信号ラインＳを介して室外機２０から送信された信号を受信する。あるいは、室内送受信部１５は、運転状態において、信号ラインＳを介して室外機２０へ信号を送信する。
＜伝送電力供給部２４の構成＞
伝送電力供給部２４は、図１に示すように、主として整流素子Ｄ１，定電圧素子ＺＤ１及び平滑コンデンサＣ１を備える。
【００４６】
図１に示す高圧側第１電源ラインＡＣＬ１及び基準側第１電源ラインＡＣＮ１とＥＭＩフィルタＬＣ１と高圧側第２電源ラインＡＣＬ２及び基準側第２電源ラインＡＣＮ２と高圧側第３電源ラインＡＣＬ３及び基準側第３電源ラインＡＣＮ３とを介して供給された主電力は、整流素子Ｄ１で交流電力から直流電力へ変換される。整流素子Ｄ１７１で整流された直流電力は、平滑コンデンサＣ１７１で平滑化される。整流平滑化された直流電力は、定電圧素子ＺＤ１で一定値以上に上昇しないように調整される。調整後の直流電力は、伝送電力として、信号ラインＳを介して供給される。
【００４７】
伝送電力供給部２４の基準側は、基準側第２電源ラインＡＣＮ２をバイパスして、基準側第１電源ラインＡＣＮ１に接続されている。
＜室内送受信部１５の構成＞
図１に示す室内送受信部１５は、図２に示すように、主として送信素子Ｑ１５１，受信素子Ｄ１５２，端子１５１及び端子１５２を備える。ここで、送信素子Ｑ１５１は受光素子である。受信素子Ｄ１５２は発光素子である。
【００４８】
図２に示す端子１５１は信号ラインＳを介して室外機２０に接続され、端子１５２は基準側第１電源ラインＡＣＮ１に接続されている。信号ラインＳを介して室外機２０から信号が送信された際（図３に示すＱ２５１がＯＦＦされた際）に、その信号が信号ラインＳの電流の遮断として端子１５１に入力される。そして、信号ラインＳの電流の遮断は、送信素子Ｑ１５１や受信素子Ｄ１５２へと伝達される。そして、受信素子Ｄ１５２は、電流の遮断により発光しなくなり、信号ラインＳを介して室外機２０から送信された信号を光信号の遮断に変換する。そして、受光素子（図示せず）を介して、室内マイコン１２（図１参照）に信号（光信号の遮断）が伝達される。このようにして、信号ラインＳを介して室外機２０から送信された信号が、室内送受信部１５で受信される。
【００４９】
室内マイコン１２（図１参照）が、室外機２０へ送信する信号を、発光素子（図示せず）を介して、光信号の遮断として伝達する。その光信号の遮断は、送信素子Ｑ１５１で感知され、送信素子Ｑ１５１がＯＦＦ状態となる。これにより、送信素子Ｑ１５１に電流が流れなくなり、室外機２０へ送信する信号が、信号ラインＳの電流の遮断として、端子１５１と信号ラインＳとを経由して室外機２０へ送信される。このようにして、信号ラインＳを介して室外機２０へ送信する信号が、室内送受信部１５から送信される。
【００５０】
＜室外送受信部２５の構成＞
図１に示す室外送受信部２５は、図３に示すように、主として送信素子Ｑ２５１，受信素子Ｄ２５２，定電圧素子ＺＤ２５１，定電圧素子ＺＤ２５２，端子２５１及び端子２５２を備える。ここで、送信素子Ｑ１５１は受光素子である。受信素子Ｄ１５２は発光素子である。
【００５１】
図３に示す端子２５１は信号ラインＳを介して室内機１０に接続され、端子２５２は信号ラインＳを介して伝送電力供給部２４（図１参照）に接続されている。信号ラインＳを介して室内機１０から信号が送信された際に、その信号が信号ラインＳの電流の遮断として端子２５１に入力される。そして、信号ラインＳの電流の遮断は、受信素子Ｄ２５２や送信素子Ｑ２５１へと伝達される。受信素子Ｄ２５２は、信号ラインＳの電流の遮断により発光しなくなり、信号ラインＳを介して室外機２０から送信された信号を光信号の遮断に変換する。そして、受光素子（図示せず）を介して、室外マイコン２１（図１参照）に信号（光信号の遮断）が伝達される。このようにして、信号ラインＳを介して室内機１０から送信された信号が、室外送受信部２５で受信される。
【００５２】
室外マイコン２１（図１参照）が、室内機１０へ送信する信号を、発光素子（図示せず）を介して、光信号の遮断として伝達する。その光信号の遮断は、送信素子Ｑ２５１で感知され、送信素子Ｑ２５１がＯＦＦ状態となる。したがって、送信素子Ｑ２５１に電流が流れなくなり、室内機１０へ送信する信号が、信号ラインＳの電流の遮断として、端子２５１と信号ラインＳとを経由して室内機１０へ送信される。このようにして、信号ラインＳを介して室内機１０へ送信する信号が、室外送受信部２５から送信される。
【００５３】
＜ＥＭＩフィルタＬＣ１の構成＞
図１に示すＥＭＩフィルタＬＣ１は、図４に示すように、主としてコンデンサＣ１１，コンデンサＣ１２，コンデンサＣ１３，コイルＬ１１，コイルＬ１２，コイルＬ１３，コイルＬ１４，端子Ｔ１，端子Ｔ２，端子Ｔ３及び端子Ｔ４を備える。
端子Ｔ１は高圧側第１電源ラインＡＣＬ１（図１参照）に接続され、端子Ｔ２は基準側第１電源ラインＡＣＮ１（図１参照）に接続され、端子Ｔ３は高圧側第２電源ラインＡＣＬ２（図１参照）に接続され、端子Ｔ４は基準側第２電源ラインＡＣＮ２（図１参照）に接続されている。
【００５４】
室外駆動電力供給部２３（図１参照）で発生した第１雑音は、高圧側第２電源ラインＡＣＬ２（図１参照）を介して端子Ｔ３に入力されるとともに、基準側第２電源ラインＡＣＮ２（図１参照）を介して端子Ｔ４に入力される。第１雑音は、主として低周波ノーマルモードノイズと高周波コモンモードノイズとを備える。低周波ノーマルモードノイズは、コンデンサＣ１１とコイルＬ１３とコイルＬ１４とで構成されるローパスフィルタの作用により、そのカットオフ周波数以上のものが除去される。高周波コモンモードノイズは、コンデンサＣ１２とコンデンサＣ１３とコイルＬ１１とコイルＬ１２とで構成されるローパスフィルタの作用により、そのカットオフ周波数以上のものが除去される。
【００５５】
＜空気調和機１の動作＞
図１に示す空気調和機１の動作を、図５に示すフローチャートを用いて説明する。
図５に示すステップＳ１では、主電力が供給される。すなわち、図１に示す主電力供給部２６により、電力供給が外部から受けられて、主電力供給ラインＬＡＣと高圧側第１電源ラインＡＣＬ１及び基準側第１電源ラインＡＣＮ１とを介して主電力が供給される。指令電力供給部１１により、待機状態において、主電力供給部２６から主電力供給ラインＬＡＣと高圧側第１電源ラインＡＣＬ１及び基準側第１電源ラインＡＣＮ１とを介して主電力の供給が受けられる。指令電力供給部１１により、待機状態において、指令電力が生成されて供給される。ここで、指令電力は、リモコンの指令など外部からの指令を受け付けるための電力である。
【００５６】
図５に示すステップＳ２では、待機状態から運転状態に切り替えるか否かが室内マイコン１２により判断される。待機状態から運転状態に切り替えると判断された場合、ステップＳ１０へ進められ、待機状態から運転状態に切り替えないと判断された場合、ステップＳ３へ進められる。
図５に示すステップＳ３では、運転状態から待機状態に切り替えるか否かが室内マイコン１２により判断される。運転状態から待機状態に切り替えると判断された場合、ステップＳ４へ進められ、運転状態から待機状態に切り替えないと判断された場合、ステップＳ６へ進められる。
【００５７】
図５に示すステップＳ４では、第２遮断部による遮断が行われる。すなわち、運転状態から待機状態に切り替える旨の信号が、図１に示す室内マイコン１２から室内送受信部１５へ伝達され、信号ラインＳを介して室内機１０から室外機２０へ送信される。運転状態から待機状態に切り替える旨の信号が、室外機２０の室外送受信部２５で受信され、室外マイコン２１へ伝達される。室外マイコン２１により、第２遮断部すなわちメーク接点ＭＲＭ１０，メーク接点ＭＲＭ２０及びメーク接点ＭＲＭ１１が開状態にされる。メーク接点ＭＲＭ１０，メーク接点ＭＲＭ２０及びメーク接点ＭＲＭ１１により、主電力供給部２６から室外駆動電力供給部２３への主電力の供給が遮断される。
【００５８】
図５に示すステップＳ５では、第１遮断部による遮断が行われる。すなわち、図１に示す室外マイコン２１により、第１遮断部すなわち切換接点ＭＲ３０が、高圧側第２電源ラインＡＣＬ２側から信号ラインＳ側に切り換えられる。切換接点ＭＲ３０により、主電力供給部２６から伝送電力供給部２２への主電力の供給が遮断される。
図５に示すステップＳ６では、運転状態であるか否かが室内マイコン１２により判断される。運転状態であると判断された場合、ステップＳ７へ進められ、運転状態でないすなわち待機状態であると判断された場合、ステップＳ１５へ進められる。
【００５９】
図５に示すステップＳ７では、伝送電力が供給される。すなわち、図１に示す伝送電力供給部２４により、主電力供給ラインＬＡＣと高圧側第１電源ラインＡＣＬ１及び基準側第１電源ラインＡＣＮ１とＥＭＩフィルタＬＣ１と高圧側第２電源ラインＡＣＬ２と切換接点ＭＲ３０と高圧側第３電源ラインＡＣＬ３とを介して主電力の供給が受けられる。伝送電力供給部２４により、伝送電力が生成されて、信号ラインＳを介して伝送電力が供給される。
【００６０】
図５に示すステップＳ８では、起動電力が供給される。すなわち、図１に示す起動電力供給部２２により、主電力供給ラインＬＡＣと高圧側第１電源ラインＡＣＬ１及び基準側第１電源ラインＡＣＮ１とＥＭＩフィルタＬＣ１と高圧側第２電源ラインＡＣＬ２及び基準側第２電源ラインＡＣＮ２と高圧側第３電源ラインＡＣＬ３及び基準側第３電源ラインＡＣＮ３とを介して主電力の供給が受けられる。起動電力供給部２２により、起動電力が生成されて、起動電力が室外マイコン２１へ供給される。
【００６１】
図５に示すステップＳ９では、室外駆動電力が供給される。すなわち、図１に示す室外駆動電力供給部２３により、主電力供給ラインＬＡＣと高圧側第１電源ラインＡＣＬ１及び基準側第１電源ラインＡＣＮ１とＥＭＩフィルタＬＣ１と高圧側第２電源ラインＡＣＬ２及び基準側第２電源ラインＡＣＮ２とを介して主電力の供給が受けられる。室外駆動電力供給部２３により、室外駆動電力が生成されて、高圧側第２電源ラインＡＣＬ２及び基準側第２電源ラインＡＣＮ２を介して室外駆動電力が供給される。
【００６２】
図５に示すステップＳ１０では、第１遮断部による遮断が解除される。すなわち、待機状態から運転状態に切り替える旨の信号が、図１に示す信号ラインＳを介して室内機１０から室外機２０へ送信される。これにより、端子２７の電位が上昇し、第１遮断部すなわち切換接点ＭＲ３０が、信号ラインＳ側から高圧側第２電源ラインＡＣＬ２側に切り換えられる。切換接点ＭＲ３０により、主電力供給部２６から伝送電力供給部２２への主電力の供給の遮断が解除される。
【００６３】
図５に示すステップＳ１１では、伝送電力が供給される。すなわち、図１に示す伝送電力供給部２４により、主電力供給ラインＬＡＣと高圧側第１電源ラインＡＣＬ１及び基準側第１電源ラインＡＣＮ１とＥＭＩフィルタＬＣ１と高圧側第２電源ラインＡＣＬ２と切換接点ＭＲ３０と高圧側第３電源ラインＡＣＬ３とを介して主電力の供給が受けられる。伝送電力供給部２４により、伝送電力が生成されて、信号ラインＳを介して伝送電力が供給される。
【００６４】
図５に示すステップＳ１２では、起動電力が供給される。すなわち、図１に示す起動電力供給部２２により、主電力供給ラインＬＡＣと高圧側第１電源ラインＡＣＬ１及び基準側第１電源ラインＡＣＮ１とＥＭＩフィルタＬＣ１と高圧側第２電源ラインＡＣＬ２及び基準側第２電源ラインＡＣＮ２と切換接点ＭＲ３０と高圧側第３電源ラインＡＣＬ３及び基準側第３電源ラインＡＣＮ３とを介して主電力の供給が受けられる。起動電力供給部２２により、起動電力が生成されて、起動電力が室外マイコン２１へ供給される。その結果、室外マイコン２１が起動される。
【００６５】
図５に示すステップＳ１３では、第２遮断部による遮断が解除される。すなわち、図１に示す室外マイコン２１により、起動されたことに基づいて、第２遮断部すなわちメーク接点ＭＲＭ１０，メーク接点ＭＲＭ２０及びメーク接点ＭＲＭ１１が閉状態にされる。メーク接点ＭＲＭ１０，メーク接点ＭＲＭ２０及びメーク接点ＭＲＭ１１により、主電力供給部２６から室外駆動電力供給部２３への主電力の供給の遮断が解除される。
【００６６】
図５に示すステップＳ１４では、室外駆動電力が供給される。すなわち、図１に示す室外駆動電力供給部２３により、主電力供給ラインＬＡＣと高圧側第１電源ラインＡＣＬ１及び基準側第１電源ラインＡＣＮ１とＥＭＩフィルタＬＣ１と高圧側第２電源ラインＡＣＬ２及び基準側第２電源ラインＡＣＮ２とを介して主電力の供給が受けられる。室外駆動電力供給部２３により、室外駆動電力が生成されて、高圧側第２電源ラインＡＣＬ２及び基準側第２電源ラインＡＣＮ２を介して室外駆動電力が供給される。
【００６７】
図５に示すステップＳ１５では、主電源がＯＦＦされるか否かが判断される。主電源がＯＦＦされると判断された場合、処理が終了され、主電源がＯＦＦされないと判断された場合、ステップＳ１へ進められる。
＜空気調和機１における特徴＞
（１）
ここでは、室外機２０の主電力供給部２６が、電力供給を外部から受けて、主電力供給ラインＬＡＣと高圧側第１電源ラインＡＣＬ１及び基準側第１電源ラインＡＣＮ１とを介して主電力を供給する。室外機２０の伝送電力供給部２４が、主電力供給ラインＬＡＣと高圧側第１電源ラインＡＣＬ１及び基準側第１電源ラインＡＣＮ１とＥＭＩフィルタＬＣ１と高圧側第２電源ラインＡＣＬ２と切換接点ＭＲ３０と高圧側第３電源ラインＡＣＬ３とを介して主電力の供給を受ける。室外機２０の伝送電力供給部２４が、伝送電力を生成して、信号ラインＳを介して伝送電力を供給する。ここで、伝送電力は、室内機１０との間で信号ラインＳを介して伝送信号を送受信するための直流電力である。室外機２０の切換接点ＭＲ３０（第１遮断部）が、待機状態において、主電力供給部２６から伝送電力供給部２４への主電力の供給を遮断する。切換接点ＭＲ３０（第１遮断部）が、待機状態から運転状態に切り替える際に、主電力供給部２６から伝送電力供給部２４への主電力の供給の遮断を解除する。
【００６８】
したがって、信号ラインＳを介して伝送電力を供給するので、交流電力でなく直流電力を用いて伝送信号を生成することが可能である。このため、伝送信号を高速で伝送することが可能である。また、室内機１０及び室外機２０の待機状態において主電力供給部２６から伝送電力供給部２４への主電力の供給を遮断するので、室内機１０及び室外機２０の待機状態における消費電力を低減することが可能である。このため、伝送信号を高速で伝送することが可能であるとともに、室内機１０及び室外機２０の待機状態における消費電力を低減することが可能である。
【００６９】
（２）
ここでは、室外機２０の主電力供給部２６が、電力供給を外部から受けて、主電力供給ラインＬＡＣと高圧側第１電源ラインＡＣＬ１及び基準側第１電源ラインＡＣＮ１とを介して主電力を供給する。室外機２０の室外駆動電力供給部２３が、主電力供給ラインＬＡＣと高圧側第１電源ラインＡＣＬ１及び基準側第１電源ラインＡＣＮ１とＥＭＩフィルタＬＣ１と高圧側第２電源ラインＡＣＬ２及び基準側第２電源ラインＡＣＮ２とを介して主電力の供給を受ける。室外機２０の室外駆動電力供給部２３が、室外駆動電力を生成して、高圧側第２電源ラインＡＣＬ２及び基準側第２電源ラインＡＣＮ２を介して室外駆動電力を供給する。室外機２０のＥＭＩフィルタＬＣ１（第１雑音低減部）が、高圧側第１電源ラインＡＣＬ１及び基準側第１電源ラインＡＣＮ１と高圧側第２電源ラインＡＣＬ２及び基準側第２電源ラインＡＣＮ２とに接続され、第１雑音を低減する。これにより、高圧側第２電源ラインＡＣＬ２及び基準側第２電源ラインＡＣＮ２から高圧側第１電源ラインＡＣＬ１及び基準側第１電源ラインＡＣＮ１へ第１雑音を伝達することが低減される。室外機２０の伝送電力供給部２４が、高圧側について、主電力供給ラインＬＡＣと高圧側第１電源ラインＡＣＬ１とＥＭＩフィルタＬＣ１と高圧側第２電源ラインＡＣＬ２と切換接点ＭＲ３０（第１遮断部）と高圧側第３電源ラインＡＣＬ３とを介して主電力の供給を受ける。室外機２０の伝送電力供給部２４が、基準側について、主電力供給ラインＬＡＣと基準側第１電源ラインＡＣＮ１とを介して主電力の供給を受ける。室外機２０の伝送電力供給部２４が、伝送電力を生成して、信号ラインＳを介して伝送電力を供給する。室外機２０の切換接点ＭＲ３０（第１遮断部）が、待機状態において、主電力供給部２６から伝送電力供給部２４への主電力の供給を遮断する。
【００７０】
したがって、第１雑音ののっている基準側第２電源ラインＡＣＮ２をバイパスして伝送電力供給部２４が主電力の供給を受けるので、伝送信号に第１雑音が混入するおそれが低減される。
（３）
ここでは、室外機２０の主電力供給部２６が、電力供給を外部から受けて、主電力供給ラインＬＡＣと高圧側第１電源ラインＡＣＬ１及び基準側第１電源ラインＡＣＮ１とを介して主電力を供給する。室外機２０の室外駆動電力供給部２３が、主電力供給ラインＬＡＣと高圧側第１電源ラインＡＣＬ１及び基準側第１電源ラインＡＣＮ１とＥＭＩフィルタＬＣ１と高圧側第２電源ラインＡＣＬ２及び基準側第２電源ラインＡＣＮ２とを介して主電力の供給を受ける。室外機２０の室外駆動電力供給部２３が、室外駆動電力を生成して、高圧側第２電源ラインＡＣＬ２及び基準側第２電源ラインＡＣＮ２を介して室外駆動電力を供給する。室外機２０のＥＭＩフィルタＬＣ１（第１雑音低減部）が、高圧側第１電源ラインＡＣＬ１及び基準側第１電源ラインＡＣＮ１と高圧側第２電源ラインＡＣＬ２及び基準側第２電源ラインＡＣＮ２とに接続され、第１雑音を低減する。これにより、高圧側第２電源ラインＡＣＬ２及び基準側第２電源ラインＡＣＮ２から高圧側第１電源ラインＡＣＬ１及び基準側第１電源ラインＡＣＮ１へ第１雑音を伝達することが低減される。室外機２０の伝送電力供給部２４が、主電力供給ラインＬＡＣと高圧側第１電源ラインＡＣＬ１及び基準側第１電源ラインＡＣＮ１とＥＭＩフィルタＬＣ１と高圧側第２電源ラインＡＣＬ２と切換接点ＭＲ３０（第１遮断部）と高圧側第３電源ラインＡＣＬ３とを介して主電力の供給を受ける。室外機２０の伝送電力供給部２４が、伝送電力を生成して、信号ラインＳを介して伝送電力を供給する。室外機２０の切換接点ＭＲ３０（第１遮断部）が、待機状態において、主電力供給部２６から伝送電力供給部２４への主電力の供給を遮断する。メーク接点ＭＲＭ１０及びメーク接点ＭＲＭ２０が、高圧側第２電源ラインＡＣＬ２上に設けられている。メーク接点ＭＲＭ１１が、基準側第２電源ラインＡＣＮ２上に設けられている。室外機２０の第２遮断部すなわちメーク接点ＭＲＭ１０，メーク接点ＭＲＭ２０及びメーク接点ＭＲＭ１１が、待機状態において、主電力供給部２６から室外駆動電力供給部２３への主電力の供給を遮断する。
【００７１】
したがって、室内機１０及び室外機２０の待機状態において主電力供給部２６から室外駆動電力供給部２３への主電力の供給を遮断するので、室内機１０及び室外機２０の待機状態における消費電力が低減される。
（４）
ここでは、室外機２０の主電力供給部２６が、電力供給を外部から受けて、主電力供給ラインＬＡＣと高圧側第１電源ラインＡＣＬ１及び基準側第１電源ラインＡＣＮ１とを介して主電力を供給する。室外機２０の室外駆動電力供給部２３が、主電力供給ラインＬＡＣと高圧側第１電源ラインＡＣＬ１及び基準側第１電源ラインＡＣＮ１とＥＭＩフィルタＬＣ１と高圧側第２電源ラインＡＣＬ２及び基準側第２電源ラインＡＣＮ２とを介して主電力の供給を受ける。室外機２０の室外駆動電力供給部２３が、室外駆動電力を生成して、高圧側第２電源ラインＡＣＬ２及び基準側第２電源ラインＡＣＮ２を介して室外駆動電力を供給する。室外機２０のＥＭＩフィルタＬＣ１（第１雑音低減部）が、高圧側第１電源ラインＡＣＬ１及び基準側第１電源ラインＡＣＮ１と高圧側第２電源ラインＡＣＬ２及び基準側第２電源ラインＡＣＮ２とに接続され、第１雑音を低減する。これにより、高圧側第２電源ラインＡＣＬ２及び基準側第２電源ラインＡＣＮ２から高圧側第１電源ラインＡＣＬ１及び基準側第１電源ラインＡＣＮ１へ第１雑音を伝達することが低減される。室外機２０の伝送電力供給部２４が、主電力供給ラインＬＡＣと高圧側第１電源ラインＡＣＬ１及び基準側第１電源ラインＡＣＮ１とＥＭＩフィルタＬＣ１と高圧側第２電源ラインＡＣＬ２と切換接点ＭＲ３０（第１遮断部）と高圧側第３電源ラインＡＣＬ３とを介して主電力の供給を受ける。室外機２０の伝送電力供給部２４が、伝送電力を生成して、信号ラインＳを介して伝送電力を供給する。室外マイコン２１が、室外機器を制御する。室外機２０の起動電力供給部２２が、主電力供給ラインＬＡＣと高圧側第１電源ラインＡＣＬ１及び基準側第１電源ラインＡＣＮ１とＥＭＩフィルタＬＣ１と高圧側第２電源ラインＡＣＬ２及び基準側第２電源ラインＡＣＮ２と高圧側第３電源ラインＡＣＬ３及び基準側第３電源ラインＡＣＮ３とを介して主電力の供給を受ける。室外機２０の起動電力供給部２２が、起動電力を生成して、起動電力を室外マイコン２１へ供給する。室外機２０の切換接点ＭＲ３０（第１遮断部）が、待機状態において、主電力供給部２６から伝送電力供給部２４への主電力の供給を遮断する。メーク接点ＭＲＭ１０及びメーク接点ＭＲＭ２０が、高圧側第２電源ラインＡＣＬ２上に設けられている。メーク接点ＭＲＭ１１が、基準側第２電源ラインＡＣＮ２上に設けられている。室外機２０の第２遮断部すなわちメーク接点ＭＲＭ１０，メーク接点ＭＲＭ２０及びメーク接点ＭＲＭ１１が、待機状態において、主電力供給部２６から室外駆動電力供給部２３への主電力の供給を遮断する。室外機２０の室外マイコン２１が、起動されたことに基づいて、第２遮断部すなわちメーク接点ＭＲＭ１０，メーク接点ＭＲＭ２０及びメーク接点ＭＲＭ１１による遮断を解除する。
【００７２】
したがって、室内機１０及び室外機２０の待機状態から運転状態に切り替わった際において、起動電力供給部２２に主電力が供給されることにより室外マイコン２１を起動することが可能である。このため、主電力供給部２６から室外駆動電力供給部２３への主電力の供給の遮断を解除することが可能である。
（５）
ここでは、室外機２０の主電力供給部２６が、電力供給を外部から受けて、主電力供給ラインＬＡＣと高圧側第１電源ラインＡＣＬ１及び基準側第１電源ラインＡＣＮ１とを介して主電力を供給する。室外機２０の室外駆動電力供給部２３が、主電力供給ラインＬＡＣと高圧側第１電源ラインＡＣＬ１及び基準側第１電源ラインＡＣＮ１とＥＭＩフィルタＬＣ１と高圧側第２電源ラインＡＣＬ２及び基準側第２電源ラインＡＣＮ２とを介して主電力の供給を受ける。室外機２０の室外駆動電力供給部２３が、室外駆動電力を生成して、高圧側第２電源ラインＡＣＬ２及び基準側第２電源ラインＡＣＮ２を介して室外駆動電力を供給する。室外機２０のＥＭＩフィルタＬＣ１（第１雑音低減部）が、高圧側第１電源ラインＡＣＬ１及び基準側第１電源ラインＡＣＮ１と高圧側第２電源ラインＡＣＬ２及び基準側第２電源ラインＡＣＮ２とに接続され、第１雑音を低減する。これにより、高圧側第２電源ラインＡＣＬ２及び基準側第２電源ラインＡＣＮ２から高圧側第１電源ラインＡＣＬ１及び基準側第１電源ラインＡＣＮ１へ第１雑音を伝達することが低減される。室外機２０の伝送電力供給部２４が、主電力供給ラインＬＡＣと高圧側第１電源ラインＡＣＬ１及び基準側第１電源ラインＡＣＮ１とＥＭＩフィルタＬＣ１と高圧側第２電源ラインＡＣＬ２と切換接点ＭＲ３０（第１遮断部）と高圧側第３電源ラインＡＣＬ３とを介して主電力の供給を受ける。室外機２０の伝送電力供給部２４が、伝送電力を生成して、信号ラインＳを介して伝送電力を供給する。室外マイコン２１が、室外機器を制御する。室外機２０の起動電力供給部２２が、主電力供給ラインＬＡＣと高圧側第１電源ラインＡＣＬ１及び基準側第１電源ラインＡＣＮ１とＥＭＩフィルタＬＣ１と高圧側第２電源ラインＡＣＬ２及び基準側第２電源ラインＡＣＮ２と高圧側第３電源ラインＡＣＬ３及び基準側第３電源ラインＡＣＮ３とを介して主電力の供給を受ける。室外機２０の起動電力供給部２２が、起動電力を生成して、起動電力を室外マイコン２１へ供給する。室外機２０の切換接点ＭＲ３０（第１遮断部）が、待機状態において、主電力供給部２６から伝送電力供給部２４への主電力の供給を遮断する。室外機２０の切換接点ＭＲ３０（第１遮断部）が、高圧側第１電源ラインＡＣＬ１と第３電源ラインＡＣＬ２との間に設けられ、待機状態において、主電力供給部２６から起動電力供給部２２への主電力の供給をさらに遮断する。メーク接点ＭＲＭ１０及びメーク接点ＭＲＭ２０が、高圧側第２電源ラインＡＣＬ２上に設けられている。メーク接点ＭＲＭ１１が、基準側第２電源ラインＡＣＮ２上に設けられている。室外機２０の第２遮断部すなわちメーク接点ＭＲＭ１０，メーク接点ＭＲＭ２０及びメーク接点ＭＲＭ１１が、待機状態において、主電力供給部２６から室外駆動電力供給部２３への主電力の供給を遮断する。室外機２０の室外マイコン２１が、起動されたことに基づいて、第２遮断部すなわちメーク接点ＭＲＭ１０，メーク接点ＭＲＭ２０及びメーク接点ＭＲＭ１１による遮断を解除する。
【００７３】
したがって、室内機１０及び室外機２０の待機状態において主電力供給部２６から起動電力供給部２２への主電力の供給をさらに遮断するので、室内機１０及び室外機２０の待機状態における消費電力が低減される。
（６）
ここでは、室外機２０の主電力供給部２６が、電力供給を外部から受けて、主電力供給ラインＬＡＣと高圧側第１電源ラインＡＣＬ１及び基準側第１電源ラインＡＣＮ１とを介して主電力を供給する。室外機２０の室外駆動電力供給部２３が、主電力供給ラインＬＡＣと高圧側第１電源ラインＡＣＬ１及び基準側第１電源ラインＡＣＮ１とＥＭＩフィルタＬＣ１と高圧側第２電源ラインＡＣＬ２及び基準側第２電源ラインＡＣＮ２とを介して主電力の供給を受ける。室外機２０の室外駆動電力供給部２３が、室外駆動電力を生成して、高圧側第２電源ラインＡＣＬ２及び基準側第２電源ラインＡＣＮ２を介して室外駆動電力を供給する。室外機２０のＥＭＩフィルタＬＣ１（第１雑音低減部）が、高圧側第１電源ラインＡＣＬ１及び基準側第１電源ラインＡＣＮ１と高圧側第２電源ラインＡＣＬ２及び基準側第２電源ラインＡＣＮ２とに接続され、第１雑音を低減する。これにより、高圧側第２電源ラインＡＣＬ２及び基準側第２電源ラインＡＣＮ２から高圧側第１電源ラインＡＣＬ１及び基準側第１電源ラインＡＣＮ１へ第１雑音を伝達することが低減される。室外機２０の伝送電力供給部２４が、主電力供給ラインＬＡＣと高圧側第１電源ラインＡＣＬ１及び基準側第１電源ラインＡＣＮ１とＥＭＩフィルタＬＣ１と高圧側第２電源ラインＡＣＬ２と切換接点ＭＲ３０（第１遮断部）と高圧側第３電源ラインＡＣＬ３とを介して主電力の供給を受ける。室外機２０の伝送電力供給部２４が、伝送電力を生成して、信号ラインＳを介して伝送電力を供給する。室外マイコン２１が、室外機器を制御する。室外機２０の起動電力供給部２２が、主電力供給ラインＬＡＣと高圧側第１電源ラインＡＣＬ１及び基準側第１電源ラインＡＣＮ１とＥＭＩフィルタＬＣ１と高圧側第２電源ラインＡＣＬ２及び基準側第２電源ラインＡＣＮ２と高圧側第３電源ラインＡＣＬ３及び基準側第３電源ラインＡＣＮ３とを介して主電力の供給を受ける。起動電力供給部２２が、起動電力を生成して、起動電力を室外マイコン２１へ供給する。室外機２０の切換接点ＭＲ３０（第１遮断部）が、待機状態において、主電力供給部２６から伝送電力供給部２４への主電力の供給を遮断する。メーク接点ＭＲＭ１０及びメーク接点ＭＲＭ２０が、高圧側第２電源ラインＡＣＬ２上に設けられている。メーク接点ＭＲＭ１１が、基準側第２電源ラインＡＣＮ２上に設けられている。室外機２０の第２遮断部すなわちメーク接点ＭＲＭ１０，メーク接点ＭＲＭ２０及びメーク接点ＭＲＭ１１が、待機状態において、主電力供給部２６から室外駆動電力供給部２３への主電力の供給を遮断する。室外機２０の起動電力供給部２２が、待機状態から運転状態に切り替わる際に、主電力供給ラインＬＡＣと高圧側第１電源ラインＡＣＬ１及び基準側第１電源ラインＡＣＮ１とＥＭＩフィルタＬＣ１と高圧側第２電源ラインＡＣＬ２及び基準側第２電源ラインＡＣＮ２と高圧側第３電源ラインＡＣＬ３及び基準側第３電源ラインＡＣＮ３とを介して主電力の供給を受ける。これにより、室外機２０の起動電力供給部２２が、待機状態から運転状態に切り替わる際に、起動電力を室外マイコン２１へ供給する。その結果、室外マイコン２１が起動する。室外機２０の室外マイコン２１が、起動されたことに基づいて、第２遮断部すなわちメーク接点ＭＲＭ１０，メーク接点ＭＲＭ２０及びメーク接点ＭＲＭ１１による遮断を解除する。
【００７４】
したがって、室内機１０と室外機２０の待機状態から運転状態に切り替わる際に、切換接点ＭＲ３０（第１遮断部）による遮断が解除されて起動電力供給部２２へ主電力が供給されるので、室外マイコン２１を起動することが可能である。このため、第２遮断部すなわちメーク接点ＭＲＭ１０，メーク接点ＭＲＭ２０及びメーク接点ＭＲＭ１１による遮断が解除されるので、主電力供給部２６から室外駆動電力供給部２３への主電力の供給の遮断を解除することが可能である。
【００７５】
（７）
ここでは、室外機２０の主電力供給部２６が、電力供給を外部から受けて、主電力供給ラインＬＡＣと高圧側第１電源ラインＡＣＬ１及び基準側第１電源ラインＡＣＮ１とを介して主電力を供給する。室外機２０の室外駆動電力供給部２３が、主電力供給ラインＬＡＣと高圧側第１電源ラインＡＣＬ１及び基準側第１電源ラインＡＣＮ１とＥＭＩフィルタＬＣ１と高圧側第２電源ラインＡＣＬ２及び基準側第２電源ラインＡＣＮ２とを介して主電力の供給を受ける。室外機２０の室外駆動電力供給部２３が、室外駆動電力を生成して、高圧側第２電源ラインＡＣＬ２及び基準側第２電源ラインＡＣＮ２を介して室外駆動電力を供給する。室外機２０のＥＭＩフィルタＬＣ１（第１雑音低減部）が、高圧側第１電源ラインＡＣＬ１及び基準側第１電源ラインＡＣＮ１と高圧側第２電源ラインＡＣＬ２及び基準側第２電源ラインＡＣＮ２とに接続され、第１雑音を低減する。これにより、高圧側第２電源ラインＡＣＬ２及び基準側第２電源ラインＡＣＮ２から高圧側第１電源ラインＡＣＬ１及び基準側第１電源ラインＡＣＮ１へ第１雑音を伝達することが低減される。室外機２０の伝送電力供給部２４が、主電力供給ラインＬＡＣと高圧側第１電源ラインＡＣＬ１及び基準側第１電源ラインＡＣＮ１とＥＭＩフィルタＬＣ１と高圧側第２電源ラインＡＣＬ２と切換接点ＭＲ３０（第１遮断部）と高圧側第３電源ラインＡＣＬ３とを介して主電力の供給を受ける。室外機２０の伝送電力供給部２４が、伝送電力を生成して、信号ラインＳを介して伝送電力を供給する。室外マイコン２１が、室外機器を制御する。室外機２０の起動電力供給部２２が、主電力供給ラインＬＡＣと高圧側第１電源ラインＡＣＬ１及び基準側第１電源ラインＡＣＮ１とＥＭＩフィルタＬＣ１と高圧側第２電源ラインＡＣＬ２及び基準側第２電源ラインＡＣＮ２と高圧側第３電源ラインＡＣＬ３及び基準側第３電源ラインＡＣＮ３とを介して主電力の供給を受ける。起動電力供給部２２が、起動電力を生成して、起動電力を室外マイコン２１へ供給する。室外機２０の切換接点ＭＲ３０（第１遮断部）が、待機状態において、主電力供給部２６から伝送電力供給部２４への主電力の供給を遮断する。メーク接点ＭＲＭ１０及びメーク接点ＭＲＭ２０が、高圧側第２電源ラインＡＣＬ２上に設けられている。メーク接点ＭＲＭ１１が、基準側第２電源ラインＡＣＮ２上に設けられている。室外機２０の第２遮断部すなわちメーク接点ＭＲＭ１０，メーク接点ＭＲＭ２０及びメーク接点ＭＲＭ１１が、待機状態において、主電力供給部２６から室外駆動電力供給部２３への主電力の供給を遮断する。室外機２０の伝送電力供給部２４が、待機状態から運転状態に切り替わる際に、高圧側について、主電力供給ラインＬＡＣと高圧側第１電源ラインＡＣＬ１とＥＭＩフィルタＬＣ１と高圧側第２電源ラインＡＣＬ２と切換接点ＭＲ３０（第１遮断部）と高圧側第３電源ラインＡＣＬ３とを介して主電力の供給を受ける。室外機２０の伝送電力供給部２４が、待機状態から運転状態に切り替わる際に、基準側について、主電力供給ラインＬＡＣと基準側第１電源ラインＡＣＮ１とを介して主電力の供給を受ける。室外機２０の起動電力供給部２２が、待機状態から運転状態に切り替わる際に、高圧側について、主電力供給ラインＬＡＣと高圧側第１電源ラインＡＣＬ１とＥＭＩフィルタＬＣ１と高圧側第２電源ラインＡＣＬ２と切換接点ＭＲ３０（第１遮断部）と高圧側第３電源ラインＡＣＬ３とを介して主電力の供給を受ける。室外機２０の起動電力供給部２２が、待機状態から運転状態に切り替わる際に、基準側について、主電力供給ラインＬＡＣと基準側第１電源ラインＡＣＮ１とＥＭＩフィルタＬＣ１と基準側第２電源ラインＡＣＮ２と基準側第３電源ラインＡＣＮ３とを介して主電力の供給を受ける。これにより、室外機２０の起動電力供給部２２が、待機状態から運転状態に切り替わる際に、起動電力を室外マイコン２１へ供給する。その結果、室外マイコン２１が起動する。室外機２０の室外マイコン２１が、起動されたことに基づいて、第２遮断部すなわちメーク接点ＭＲＭ１０，メーク接点ＭＲＭ２０及びメーク接点ＭＲＭ１１による遮断を解除する。
【００７６】
したがって、待機状態から運転状態に切り替わる際における起動電力供給部２２と伝送電力供給部２４とへの主電力の供給経路を高圧側について共通化することが可能であるので、低コストで回路を構成することが可能である。
（８）
ここでは、室外機２０の主電力供給部２６が、電力供給を外部から受けて、主電力供給ラインＬＡＣと高圧側第１電源ラインＡＣＬ１及び基準側第１電源ラインＡＣＮ１とを介して主電力を供給する。室外機２０の伝送電力供給部２４が、主電力供給ラインＬＡＣと高圧側第１電源ラインＡＣＬ１及び基準側第１電源ラインＡＣＮ１とＥＭＩフィルタＬＣ１と高圧側第２電源ラインＡＣＬ２と切換接点ＭＲ３０（第１遮断部）と高圧側第３電源ラインＡＣＬ３とを介して主電力の供給を受ける。室外機２０の伝送電力供給部２４が、伝送電力を生成して、信号ラインＳを介して伝送電力を供給する。室外機２０の切換接点ＭＲ３０（第１遮断部）が、待機状態において、主電力供給部２６から伝送電力供給部２４への主電力の供給を遮断する。室内機１０の指令電力供給部１１が、待機状態において、室外機２０の主電力供給部２６から主電力供給ラインＬＡＣと高圧側第１電源ラインＡＣＬ１及び基準側第１電源ラインＡＣＮ１とを介して主電力の供給を受ける。室内機１０の指令電力供給部１１が、待機状態において、指令電力を生成して供給する。
【００７７】
したがって、室内機１０及び室外機２０の待機状態において主電力供給部２６から指令電力供給部１１へ主電力が供給されて指令電力供給部１１が指令電力を生成して供給するので、室内機１０及び室外機２０の待機状態において外部から指令を受け付けることが可能である。
＜第１実施形態の変形例＞
（Ａ）指令電力は、常に指令電力供給部１１から供給されなくてもよい。すなわち、室内機１０が、室内機器を駆動させるための電力である室内駆動電力を生成する室内駆動電力生成部（図示せず）をさらに備えてもよい。この場合、室内機１０の待機状態において、指令電力供給部１１に主電力が供給され、室内駆動電力生成部（図示せず）への主電力の供給は遮断され、指令電力は指令電力供給部１１から供給される。室内機１０の運転状態において、指令電力供給部１１に主電力が供給され（又は主電力の供給が遮断され）、室内駆動電力生成部（図示せず）にも主電力が供給され、指令電力は室内駆動電力生成部（図示せず）から供給される。
【００７８】
（Ｂ）伝送電力供給部２４ａは、室外機２０ａでなく室内機１０ａに備えられていてもよい。また、室内機２０は、メーク接点ＭＲ１０をさらに備えていてもよい。この場合、空気調和機１ａは、図６に示すような構成となる。すなわち、第１遮断部に相当するのがメーク接点ＭＲ１０及び切換接点ＭＲ３０となり、室内マイコン１２がメーク接点ＭＲ１０を開状態にし、メーク接点ＭＲ１０が主電力供給部２６から伝送電力供給部２４ａへの主電力の供給を遮断し、切換接点ＭＲ３０が主電力供給部２６から起動電力供給部２２への主電力の供給を遮断する。伝送電力供給部２４ａは、信号ラインＳを経由して室内送受信部１５ａと室外送受信部２５ａとに接続されている。室内送受信部１５ａは、図２に示す室内送受信部１５とは向きが逆になり、端子１５１が信号ラインＳを経由して伝送電力供給部２４ａに接続される。端子１５２が信号ラインＳを経由して室外機２０ａに接続される。室外送受信部２５ａは、図３に示す室外送受信部２５とは向きが逆になり、端子２５１が信号ラインＳを経由して基準側第１電源ラインＡＣＮ１に接続される。端子２５２が信号ラインＳを経由して室内機１０ａに接続される。この場合でも、室内機１０ａと室外機２０ａとの間で伝送信号を高速で送受信することが可能な点は同様である。
【００７９】
（Ｃ）図１に示す室外駆動電力供給部２３は、例えば、インバータ回路を備えてもよい。この場合、室外駆動電力供給部２３のインバータ回路は、第１雑音を発生する。しかし、室外機２０のＥＭＩフィルタＬＣ１（第１雑音低減部）が、高圧側第１電源ラインＡＣＬ１と高圧側第２電源ラインＡＣＬ２とに接続され、第１雑音を低減する。これにより、高圧側第２電源ラインＡＣＬ２から高圧側第１電源ラインＡＣＬ１へ第１雑音を伝達することが低減される。
【００８０】
（Ｄ）図１に示す室内送受信部１５は、図２に示すように、抵抗素子Ｒ１５１，整流素子Ｄ１５１，定電圧素子ＺＤ１５１及び抵抗素子Ｒ１５２の少なくとも１つをさらに備えてもよい。抵抗素子Ｒ１５１は、送信素子Ｑ１５１や受信素子Ｄ１５２に流れる電流を制限する。整流素子Ｄ１５１は、電流が逆流することを防止する。定電圧素子ＺＤ１５１は、送信素子Ｑ１５１の両端に過電圧が印可されることを防止する。抵抗素子Ｒ１５２は、受信素子Ｄ１５２の両端に過電圧が印可されることを防止する。図１に示す室外送受信部２５は、図３に示すように、整流素子Ｄ２５１，抵抗素子Ｒ２５１，抵抗素子Ｒ２５２及び抵抗素子Ｒ２５３の少なくとも１つをさらに備えてもよい。整流素子Ｄ２５１は、電流が逆流することを防止する。抵抗素子Ｒ２５１は、送信素子Ｑ２５１や受信素子Ｄ２５２に流れる電流を制限する。抵抗素子Ｒ２５２は、受信素子Ｄ２５２の両端に過電圧が印可されることを防止する。抵抗素子Ｒ２５３は、送信素子Ｑ１５１に過電流が流れることを防止する。図１に示す室外機２０の高圧側第２電源ラインＡＣＬ２上には、抵抗素子Ｒ１１がさらに備えられていてもよい。抵抗素子Ｒ１１は、メーク接点ＭＲＭ１１やメーク接点ＭＲＭ２０に過電流が流れることを防止する。図１に示すように、室内機１０は、メーク接点ＭＲ１０をさらに備えていてもよい。この場合、待機状態から運転状態へ切り換える際に、室内マイコン１２によりメーク接点ＭＲ１０が閉じられて、高圧側第１電源ラインＡＣＬ１から主電力が信号ラインＳへ供給される。すなわち、待機状態から運転状態へ切り換える旨の信号が、信号ラインＳの電圧の上昇である点で、第１実施形態と同様である。室内機１０は、メーク接点ＭＲ１０と信号ラインＳとの間に整流素子Ｄ３をさらに備えていてもよい。この場合、待機状態から運転状態へ切り換える際に、信号ラインＳには、起動電力供給部２２や伝送電力供給部２４から供給された電流が切換接点ＭＲ３０と整流素子Ｄ３とを経由して流れるので、切換接点ＭＲ３０が信号ラインＳ側から高圧側第２電源ラインＡＣＬ２側に切り換えられ得る。図１に示す伝送電力供給部２４は、抵抗素子Ｒ２をさらに備えてもよい。抵抗素子Ｒ２は、定電圧素子ＺＤ１や平滑コンデンサＣ１の両端に過電圧が印可されることを防止する。
【００８１】
［第２実施形態］
本発明の第２実施形態にかかる空気調和機１００の構成図を図７に示す。図７に示す空気調和機１００は、主として室内機１０，室外機１２０，信号ラインＳ，高圧側第１電源ラインＡＣＬ１及び基準側第１電源ラインＡＣＮ１を備える。
この空気調和機１００は、図７に示すように、基本的な構造は第１実施形態と同様であるが、室外機１２０がＥＭＩフィルタＬＣ２（第２雑音低減部）をさらに備える点で第１実施形態と異なる。すなわち、室外機１２０のＥＭＩフィルタＬＣ２（第２雑音低減部）が、高圧側第３電源ラインＡＣＬ３及び基準側第３電源ラインＡＣＮ３上で起動電力供給部２２と伝送電力供給部２４との間に設けられ、第２雑音を低減する。ここで、第２雑音は、起動電力供給部２２が発生した雑音である。第２雑音が主として低周波ノーマルモードノイズと高周波コモンモードノイズとを備える点は、第１雑音と同様である。また、ＥＭＩフィルタＬＣ２（第２雑音低減部）の回路構成は、図４と同様である。これにより、高圧側第３電源ラインＡＣＬ３及び基準側第３電源ラインＡＣＮ３を介して起動電力供給部２２から伝送電力供給部２４へ第２雑音が伝達されることが低減される。したがって、伝送信号に第２雑音が混入するおそれが低減される。また、第１雑音ののっている基準側第２電源ラインＡＣＮ２だけでなく高圧側第２電源ラインＡＣＬ２もバイパスして伝送電力供給部２４が主電力の供給を受けるので、伝送信号に第１雑音が混入するおそれがさらに低減される。これらの点で第１実施形態と異なる。
【００８２】
図７に示す信号ラインＳを介して伝送電力を供給するので、交流電力でなく直流電力を用いて伝送信号を生成するため、伝送信号を高速で伝送することが可能である点は、第１実施形態と同様である。また、室内機１０及び室外機１２０の待機状態において主電力供給部２６から伝送電力供給部２４への主電力の供給を遮断するので、室内機１０及び室外機１２０の待機状態における消費電力を低減することが可能である点も、第１実施形態と同様である。したがって、このような空気調和機１００によっても、伝送信号を高速で伝送することが可能であるとともに、室内機１０及び室外機１２０の待機状態における消費電力を低減することが可能である。
【００８３】
＜第２実施形態の変形例＞
（Ａ）ＥＭＩフィルタＬＣ２（第２雑音低減部）の回路構成は、図４と同様でなくてもよい。すなわち、ＥＭＩフィルタＬＣ２（第２雑音低減部）は、図４に示すコンデンサＣ１１とコイルＬ１３とコイルＬ１４とで構成されるローパスフィルタを備えていなくてもよい。この場合でも、第２雑音の低周波ノーマルモードノイズが小さければ、第２雑音の高周波コモンモードノイズが除去されるので、図７に示す高圧側第３電源ラインＡＣＬ３及び基準側第３電源ラインＡＣＮ３を介して起動電力供給部２２から伝送電力供給部２４へ第２雑音が伝達されることが低減される。したがって、伝送信号に第２雑音が混入するおそれが低減される。
【００８４】
［第３実施形態］
本発明の第３実施形態にかかる空気調和機２００の構成図を図８に示す。図８に示す空気調和機２００は、主として室内機１０，室外機２２０，信号ラインＳ，高圧側第１電源ラインＡＣＬ１及び基準側第１電源ラインＡＣＮ１を備える。
この空気調和機２００は、図８に示すように、基本的な構造は第１実施形態と同様であるが、室外機２２０がメーク接点ＭＲ４０（第１遮断部）をさらに備える点で第１実施形態と異なる。すなわち、室外機２２０の伝送電力供給部２４が、高圧側第１電源ラインＡＣＬ１とメーク接点ＭＲ４０とを介して主電力の供給を受ける。室外機２２０のメーク接点ＭＲ４０（第１遮断部）が、待機状態において、主電力供給部２６から伝送電力供給部２４への主電力の供給を遮断する。したがって、第１雑音ののっている基準側第２電源ラインＡＣＮ２だけでなく高圧側第２電源ラインＡＣＬ２もバイパスして伝送電力供給部２４が主電力の供給を受けるので、伝送信号に第１雑音が混入するおそれがさらに低減される。これらの点で第１実施形態と異なる。
【００８５】
図８に示す信号ラインＳを介して伝送電力を供給するので、交流電力でなく直流電力を用いて伝送信号を生成するため、伝送信号を高速で伝送することが可能である点は、第１実施形態と同様である。また、室内機１０及び室外機２２０の待機状態において主電力供給部２６から伝送電力供給部２４への主電力の供給を遮断するので、室内機１０及び室外機２２０の待機状態における消費電力を低減することが可能である点も、第１実施形態と同様である。したがって、このような空気調和機２００によっても、伝送信号を高速で伝送することが可能であるとともに、室内機１０及び室外機２２０の待機状態における消費電力を低減することが可能である。
【産業上の利用可能性】
【００８６】
本発明にかかる空気調和機及び制御方法は、伝送信号を高速で伝送することができるとともに、室内機及び室外機の待機状態における消費電力を低減することができるという効果を有し、空気調和機及び制御方法等として有用である。
【図面の簡単な説明】
【００８７】
【図１】本発明の第１実施形態による空気調和機の構成図。
【図２】本発明の第１実施形態による室内送受信部の回路図。
【図３】本発明の第１実施形態による室外送受信部の回路図。
【図４】本発明の第１実施形態によるＥＭＩフィルタの回路図。
【図５】空気調和機の動作を説明するフローチャート。
【図６】本発明の第１実施形態による空気調和機の構成図。
【図７】本発明の第２実施形態による空気調和機の構成図。
【図８】本発明の第３実施形態による空気調和機の構成図。
【符号の説明】
【００８８】
１，１ａ，１００，２００  空気調和機
１０，１０ａ  室内機
２０，２０ａ，１２０，２２０  室外機
Ｓ  信号ライン
ＡＣＬ１  高圧側第１電源ライン
ＡＣＮ１  基準側第１電源ライン
【図１】
2005257238.tif 000003
【図２】
2005257238.tif 000004
【図３】
2005257238.tif 000005
【図４】
2005257238.tif 000006
【図５】
2005257238.tif 000007
【図６】
2005257238.tif 000008
【図７】
2005257238.tif 000009
【図８】
2005257238.tif 000010